(57)【要約】【課題】  デザイン性及び収納性に優れ、紛失し難く且つ使いやすい取出具付き容器を創出することを課題とする。【解決手段】  胴部４の上端に連設された肩部３を介して口筒部２が立設された有底筒状の容器本体１と、口筒部２に開閉自在に装着される蓋体１０と、容器本体１内に充填された内容物を取り出す取出具２０とを有する取出具付き容器であって、胴部４と肩部３との境界６に取出具２０の形状に倣って陥没設され且つ取出具２０が収納される収納凹部５が形成されており、蓋体１０が装着された閉蓋状態において、収納凹部５内に収納されている取出具２０が蓋体１０と収納凹部５との間に取り出し不能に保持されている構成とする。【選択図】  図２
2018051231.tif 000002
【特許請求の範囲】
【請求項１】
胴部（４）の上端に連設された肩部（３）を介して口筒部（２）が立設された有底筒状の容器本体（１）と、前記口筒部（２）に開閉自在に装着される蓋体（１０）と、前記容器本体（１）内に充填された内容物を取り出す取出具（２０）とを有する取出具付き容器であって、
前記胴部（４）と前記肩部（３）との境界（６）に前記取出具（２０）の形状に倣って陥没設され且つ前記取出具（２０）が収納される収納凹部（５）が形成されており、
前記蓋体（１０）が装着された閉蓋状態において、前記収納凹部（５）内に収納されている前記取出具（２０）が前記蓋体（１０）と前記収納凹部（５）との間に取り出し不能に保持されることを特徴とする取出具付き容器。
【請求項２】
取出具（２０）の両端に係止部（２２）が形成され、これに対応する収納凹部（５）の両端に係止凹部（５ａ）が形成されている請求項１記載の取出具付き容器。
【請求項３】
取出具（２０）の下端に係止部（２２）が形成され、これに対応する収納凹部（５）の底面（５Ａ）に係止凹部（５ｂ）が形成されている請求項１記載の取出具付き容器。
【請求項４】
容器本体（１）の胴部（４）が平面視楕円形状に形成されており、収納凹部（５）が短径側の胴部（４）に形成されている請求項１乃至３のいずれか一項に記載の取出具付き容器。
【請求項５】
取出具（２０）の少なくとも一方の端部が、中央部よりも幅広に形成されている請求項１乃至４のいずれか一項に記載の取出具付き容器。
【請求項６】
取出具（２０）が金属で形成されている請求項１乃至５のいずれか一項に記載の取出具付き容器。
【請求項７】
取出具（２０）の表面が、蒸着、塗装、転写又は印刷のうち少なくとも一つ以上の手段を用いて加飾されている請求項１乃至６のいずれか一項に記載の取出具付き容器。
【発明の詳細な説明】
【技術分野】
【０００１】
本発明は、容器本体内に充填されているクリーム等の化粧料を取り出すためのスパチュラ等を備えた取出具付き容器に関する。
【背景技術】
【０００２】
例えば、保湿クリームやマッサージクリームといった化粧料など比較的粘度の高い内容物は、広口状の容器本体と蓋体とからなる容器（いわゆる「ジャー容器」）に充填され、これを取り出すための取出具（スパチュラ、スプーン等）とともに販売されている。
【０００３】
特許文献１に示す容器は、容器２の側方に透孔６を設け、スパチュラ等の付属品を透孔６に挿通係止することにより、付属品を容器２の外部に外付けするというものである。
また特許文献２に示す化粧用容器は、容器本体内を密封する中蓋３の上面に設けた一組の係止片８間にスパチュラ９を挟持するようにしたものである。
【先行技術文献】
【特許文献】
【０００４】
【特許文献１】特開２００４−３３１１０５号公報
【特許文献２】特開２０１３−１１１３５１号公報
【発明の概要】
【発明が解決しようとする課題】
【０００５】
しかし、特許文献１に示す収納容器は、付属品が容器の外部に大きく張り出した状態で外付けされることになるため、デザイン性に欠け、製品イメージを損ねると共に、携行する際には邪魔になるという虞があった。
【０００６】
また特許文献２に示す化粧用容器では、スパチュラ９を容器内に収納する構成であるため、スパチュラはその長さ寸法に制約を受けることになり、長さが短い場合にはスパチュラとして使い難くなる虞があった。
【０００７】
本発明は、上記した従来技術における問題点を解消すべく、デザイン性及び収納性に優れ、使いやすく、さらには紛失し難い取出具付き容器を創出することを課題とする。
【課題を解決するための手段】
【０００８】
上記課題を解決するための手段のうち、本発明の主たる手段は、
胴部の上端に連設された肩を介して口筒部が立設された有底筒状の容器本体と、口筒部に開閉自在に装着される蓋体と、容器本体内に充填された内容物を取り出す取出具とを有する取出具付き容器であって、
胴部と肩部との境界に取出具の形状に倣って陥没設され且つ取出具が収納される収納凹部が形成されており、
蓋体が装着された閉蓋状態において、収納凹部内に収納されている取出具が蓋体と収納凹部との間に取り出し不能に保持されていることを特徴とする、と云うものである。
【０００９】
本発明の主たる構成では、取出具を胴部に形成された収納凹部内に収納し得ることから、携行性及び収納性を向上させることができる。
【００１０】
また本発明の他の手段は、上記主たる手段に、取出具の両端に係止部が形成され、これに対応する収納凹部の両端に係止凹部が形成されている、との手段を加えたものである。あるいは取出具の下端に係止部が形成され、これに対応する収納凹部の底面に係止凹部が形成されている、との手段を加えたものである。
【００１１】
上記手段では、取出具を収納凹部内に収納することができ、特に容器を閉蓋状態した場合における取出具の紛失を確実に防止し得る。
【００１２】
また本発明の他の手段は、上記いずれの手段に、容器本体の胴部が平面視楕円形状に形成されており、収納凹部が短径側の胴部に形成されている、との手段を加えたものである。
【００１３】
上記手段では、取出具を全体的に緩やかな湾曲形状とすることが可能となるため、使いやすい取出具とすることができる。
【００１４】
また本発明の他の手段は、上記いずれの手段に、取出具の少なくとも一方の端部が、中央部よりも幅広に形成されている、との手段を加えたものである。
【００１５】
上記手段では、幅広に形成された取出具の端部をヘラ部として使用することが可能となるため、一度に多くのクリーム等の化粧料を取り出すことができる。
【００１６】
また本発明の他の手段は、上記いずれの手段に、取出具が金属で形成されている、との手段を加えたものである。
【００１７】
上記手段では、取出具の加飾性を良好とすることができる。
【００１８】
また本発明の他の手段は、上記いずれの手段に、取出具の表面が、蒸着、塗装、転写又は印刷のうち少なくとも一以上の手段を用いて加飾されている、との手段を加えたものである。
【００１９】
上記手段では、加飾された取出具が容器の略中央に設けられた収納凹部内に配置されることから、容器全体のデザイン性を向上させることができる。
【発明の効果】
【００２０】
本発明では、取出具を収納凹部内に収納した状態で、蓋体を装着することで取出具が保持される閉蓋状態とすることにより、取出具の紛失を確実に防止することができる。また取出具が容器本体の外部に張り出すことなく収納凹部内に配置することが可能となることから携行性に優れた取出具付き容器とすることができる。
また取出具に加飾を施すことにより、容器のデザイン性を向上させることができる。
さらに全体的に緩やかな湾曲形状から成る取出具とすることにより、操作性に優れた取出具とすることができる。
【図面の簡単な説明】
【００２１】
【図１】本発明の第１実施例を示す取出具付き容器の外観斜視図である。
【図２】第１実施例における取出具付き容器の分解斜視図である。
【図３】第１実施例における取出具付き容器の開蓋状態を示す斜視図である。
【図４】第１実施例における容器本体の平面図である。
【図５】Ａは図４中のＶ部の拡大図、ＢはＶ部の他の実施例を示す拡大図である。
【図６】第１実施例における取出具付き容器の部分断面図である。
【図７】本発明の第２実施例を示す取出具付き容器の外観斜視図である。
【図８】第２実施例における取出具付き容器の分解状態を示す正面図である。
【図９】第２実施例における容器本体の平面図である。
【図１０】第２実施例における取出具の外観斜視図である。
【図１１】第２実施例における取出具付き容器の短径側を示す部分断面図である。
【発明を実施するための形態】
【００２２】
以下、本発明の第１実施例について、図１乃至図６を参照しつつ説明する。
第１実施例に示す取出具付き容器は、容器本体１と、この容器本体１に対して開閉自在に螺着される蓋体１０と、容器本体１内に充填されているクリーム等の化粧料を取り出すスパチュラ、スプーン等を構成する取出具２０と、を有して構成されている。
容器本体１は、胴部４の上部に肩部３が段差状に連設される共に、この肩部３の中央に広口状の口筒部２が立設された有底円筒状の容器であり、合成樹脂を射出成形することにより形成されたものである。
【００２３】
容器本体１を構成する胴部４と肩部３との境界６には、この境界６の一部を後述する取出具２０の形状に倣って陥没設された収納凹部５が形成されている。さらに収納凹部５の周方向の両端には係止凹部５ａが夫々設けられている。また口筒部２の外周面には雄ネジ２ａが刻設されている。
【００２４】
蓋体１０は頂壁１１と側壁１２とを有して有頂筒状に形成された合成樹脂製の部材であり、側壁１２の内面には口筒部２側の雄ネジ２ａに螺合する雌ネジ１３（図６参照）が刻設されている。
【００２５】
取出具２０は円弧状に湾曲形成された本体部２１と、この本体部２１の両端に形成された薄板状の係止部２２とを有し、合成樹脂を射出成形することにより形成されている。取出具２０の高さ方向の幅寸法（高さ寸法）は、収納凹部５の高さ方向の幅寸法（高さ寸法）と同寸法、あるいは収納凹部５の上端よりもわずかに低い寸法で形成されている。また取出具２０の径方向の厚み寸法は、収納凹部５の径方向の深さ寸法と略同寸法で形成されている。
【００２６】
図２乃至図５Ａに示すように、両側の係止部２２を収納凹部５の両端に設けられた係止凹部５ａに夫々挿入することにより、取出具２０を収納凹部５内に嵌合的に収納することができる。これにより、取出具２０が半径方向に位置ずれすることを防止することが可能となっている。尚、図５Ｂに他の実施例として示すように、係止部２２及び係止凹部５ａの形状を、角部を落として丸みを付けた形状にすると、係止部２２を係止凹部５ａ内にスムーズに挿入できるようになる点で好ましい。
【００２７】
続いて、図１に示すように蓋体１０を口筒部２に螺着することにより、取出具付き容器を閉蓋状態とすることができる。この際、図６に示すように、蓋体１０を完全に締め込むと、蓋体１０の側壁１２の下端が、収納凹部５内に収納されている取出具２０の上端２３に当接し、取出具２０を取り出し不能に保持する。尚、取出具２０の高さ寸法と収納凹部５の高さ寸法とが同寸法で形成され、取出具２０を蓋体１０の側壁１２の下端が取出具２０の上端２３に当接可能な構成の場合には、取出具２０を蓋体１０の下端と収納凹部５の底面５Ａとの間に挟持することができる。
【００２８】
また図１に示すように、閉蓋状態では、取出具２０は収納凹部５の径方向の深さ寸法内に収まる状態で一体的に収納され、外部に大きく張り出したり、逆に大きく凹みすぎたりすることによる段差が形成されることがないため、取出具付き容器のデザイン性及び携行性を向上させることができる。
ただし、取出具２０の厚み寸法と収納凹部５の深さ寸法に差を設けることによる段差を設け、この段差により装飾性を付与することも可能である。
【００２９】
次に蓋体１０を螺脱させて取出具付き容器を開蓋状態にすると、保持されていた取出具２０が解放されるため、取出具２０を上方に引き抜くことにより収納凹部５から容易に取り外すことが可能である。取り外した取出具２０は、一端を把持した状態で他端を口筒部２内に挿入して掬い採ることにより、内部に充填されているクリーム等の化粧料を取り出すことができる。すなわち、取出具２０をスパチュラ又はスプーンとして使用することができる。
【００３０】
このように本願発明の取出具付き容器では、蓋体１０が閉状態では、取出具２０を取り出すことができない構成である。さらには蓋体１０を完全に取り外した状態において、取出具２０を取り出せる構成が好ましい。これにより、収納凹部５からの取出具２０の脱落を防止することが可能となり、結果として取出具２０の紛失を確実に防止することができる。
また取出具２０を保持するための中蓋を不要とすることができる。また取出具２０を中蓋に収納する場合に比べて、その長さに制約を受けにくくなるため、より扱いやすい取出具２０とすることができる。
【００３１】
次に、本発明の第２実施例について、図７乃至図１１を参照しつつ説明する。
第２実施例に示す取出具付き容器が、上記第１実施例と異なる点は主として容器本体１と取出具２０の構成にあり、その他の構成及び効果は上記第１実施例同様である。よって、以下には主に上記第１実施例と異なる点について説明する。
第２実施例に示す取出具付き容器は、容器本体１が平面視楕円形状から成る容器であり、収納凹部５が容器本体１の短径側の胴部４に形成されている。
【００３２】
また収納凹部５の形状は、高さ方向の幅寸法が第１実施例（図２参照）のような一定の幅寸法ではなく、図８等に示すように両端部が中央部よりも幅広に形成されている。また収納凹部５の底面５Ａには係止凹部５ｂが設けられている。
【００３３】
図１０に示すように、取出具２０は収納凹部５と略同形状で形成されており、本体部２１の両端部２４は中央部分よりも広い幅寸法で形成され、本体部２１の下面には係止部２２が突設されている。この取出具２０は、両側の端部２４のうちのいずれか一方の端部２４を把持し、他方の端部２４をヘラ部として使用するものであり、広い幅寸法で形成された他方の端部（ヘラ部）２４を用いることにより、一度に多くのクリーム等の化粧料を掬い採ることが可能となっている。
【００３４】
また第２実施例では、収納凹部５を平面視楕円形状から成る容器本体１の短径側の胴部４に形成することにより、これに収納される取出具２０の曲率半径Ｒを、第１実施例である平面視略真円形状から成る容器本体１の収納凹部５に収納される取出具２０の曲率半径よりも大きくすること、すなわち緩やかな湾曲形状とすることが可能となっている。このため、この取出具２０は、曲率半径の小さな取出具２０に比較して使いやすくすることができ、特に小型の取出具付き容器を平面視楕円形状とした場合に有効である。
【００３５】
第２実施例では、図１０に示すように、係止部２２を容器本体１側の係止凹部５ｂに挿入させることにより、取出具２０を収納凹部５内に嵌合的に収納することができる。これにより、取出具２０の半径方向への位置ずれを防止できる。続いて、第１実施例同様に蓋体１０を口筒部２に螺着して閉蓋状態とすることにより、取出具２０が蓋体１０と収納凹部５の底面５Ａとの間に取り出し不能に保持される。
【００３６】
ここで取出具２０は、第１実施例に示すようにその表面に文字又は記号等を付すことによる加飾が施され、又は第２実施例のようにその表面を着色（図中の薄墨部分）することによる加飾が施され、あるいはその表面に図柄（図示せず）を付すことによる加飾が施されていることが好ましい。これらにより、図１又は図７に示すように、閉蓋状態とした場合において、取出具付き容器の略中央部に加飾を施すことが可能となることから、取出具付き容器のデザイン性を向上させることができる。
尚、取出具２０の表面を加飾する手段は、例えば蒸着、塗装、転写又は印刷等が有効であるが、その他の手段を用いたものであっても良い。あるいは、蒸着、塗装、転写又は印刷のうち少なくとも一以上の手段を用いて、すなわち単独で、または複数の手段を組み合わせることにより加飾しても良い。
【００３７】
以上、実施例に沿って本発明の構成とその作用効果について説明したが、本発明の実施の形態は上記実施例に限定されるものではない。
例えば、上記実施の形態では蓋体１０が容器本体１の口筒部２に螺合により開閉自在に装着される場合を示して説明したが、本発明は上記実施例に限定されるものではなく、嵌合により開閉自在に装着される構成であっても良い。
【００３８】
また上記実施例では、合成樹脂からなる取出具２０を示して説明したが、例えばステンレスなどの金属で取出具２０を形成した場合には、内容物との適性を良好にした上で加飾性を高めることが可能となる。さらにステンレス以外の金属を使用することも可能である。
【００３９】
また上記第２実施例では、本体部２１は両側に中央よりも幅広の寸法からなる端部２４を備えた取出具２０を示して説明したが、取出具２０は少なくとも一方の端部２４が幅広に形成されていれば良い。
【００４０】
さらに上記第２実施例では、本体部２１の下面に係止部２２を一つ設けた取出具２０を示して説明したが、係止部２２の数は一つに限定されるものではなく、取出具２０の形状や大きさに応じて複数の係止部２２を設ける構成とするものであっても良い。
【００４１】
また上記各実施例では、容器本体１内に充填されている内容物として、クリーム等の化粧料を示して説明したが、その他の内容物であっても良い。
【産業上の利用可能性】
【００４２】
本発明は、スパチュラ等の取出具が設けられる容器の分野における用途展開をさらに広い領域で図ることができる。
【符号の説明】
【００４３】
１    ：  容器本体
２    ：  口筒部
２ａ  ：  雄ネジ
３    ：  肩部
４    ：  胴部
５    ：  収納凹部
５Ａ  ：  収納凹部の底面
５ａ  ：  係止凹部
５ｂ  ：  係止凹部
６    ：  境界
１０  ：  蓋体
１１  ：  頂壁
１２  ：  側壁
１３  ：  雌ネジ
２０  ：  取出具
２１  ：  本体部
２２  ：  係止部
２３  ：  取出具の上端
２４  ：  本体部の端部
Ｒ    ：  取出具の曲率半径
【図１】
2018051231.tif 000003
【図２】
2018051231.tif 000004
【図３】
2018051231.tif 000005
【図４】
2018051231.tif 000006
【図５】
2018051231.tif 000007
【図６】
2018051231.tif 000008
【図７】
2018051231.tif 000009
【図８】
2018051231.tif 000010
【図９】
2018051231.tif 000011
【図１０】
2018051231.tif 000012
【図１１】
2018051231.tif 000013